(57)【要約】【課題】  新設或は既存の街路灯などの径の小さな、しかも形状の異なる支柱に、容易に取り付けることができ、しかも程よい広告面積を確保できた上、強風の際にも吹き飛ばされてしまったり、壊れてしまったりする恐れのない広告表示装置並びにこの広告表示装置を取り付けることのできる街路灯を提供する。【解決手段】  取り付けられる支柱の外径に対し余裕ある内径を有し、筒状を呈した広告表示部材と、この広告表示部材の上下端部に取り付けられる一対の枠部材と、これらの枠部材を前記支柱へ取り付ける取付手段とで構成したことで解決した。街路灯としては、支柱と、この支柱の上部に角度調節手段を介して角度調節可能に取り付けられるソーラーパネルと、このソーラーパネルより下方に位置して前記支柱へ取り付けられた照明灯と、同じく前記ソーラーパネルより下方で前記照明灯の反対側に位置して前記支柱に取り付けられた蓄電池とで構成し、角度調節手段の構成を簡単にすることで解決した。【選択図】        図１
2011095463.tif 000002
【特許請求の範囲】
【請求項１】
街路灯のような径の細い支柱の外径に対し余裕ある内径を有し、筒状を呈した広告表示部材と、この広告表示部材の上下端部に取り付けられる一対の枠部材と、これらの枠部材を前記支柱へ取り付ける取付手段とで構成したことを特徴とする、広告表示装置。
【請求項２】
前記取付手段は、前記支柱の上部と下部へ固定される一対の固定部材と、この各固定部材と前記一対の枠部材との間を連結する複数の連結部材とで構成したことを特徴とする、請求項１に記載の広告表示装置。
【請求項３】
前記広告表示部材は、可撓性を有し、１個所で軸方向に分割されていることを特徴とする、請求項１に記載の広告表示装置。
【請求項４】
前記広告表示部材は、軸方向に２分割されていることを特徴とする、請求項１に記載の広告表示装置。
【請求項５】
前記各枠部材は、可撓性を有し、１個所で軸方向に分割されており、各分割端に連結手段を設けたことを特徴とする、請求項１〜３のいずれか１項に記載の広告表示装置。
【請求項６】
前記各枠部材は、軸方向へ２分割されており、その各分割個所の一方はヒンジ手段で連結し、他方には連結手段を設けたことを特徴とする、請求項１〜３のいずれか１項に記載の広告表示装置。
【請求項７】
前記取付手段は、前記一対の枠部材に対し、軸方向へ長さ調節可能かつ放射状に取り付けた複数の固定棒で構成したことを特徴とする、請求項１〜６のいずれか１項に記載の広告表示装置。
【請求項８】
前記固定部材は、伸縮性を有する締付バンドであることを特徴とする、請求項２に記載の広告表示装置。
【請求項９】
前記固定部材は、伸縮性はないが折り曲げ可能な締付バンドであることを特徴とする、請求項２に記載の広告表示装置。
【請求項１０】
請求項１乃至９に各記載の広告表示装置を取り付けることのできる街路灯であって、支柱と、この支柱の上部に角度調節手段を介して角度調節可能に取り付けられるソーラーパネルと、このソーラーパネルより下方に位置して前記支柱へ取り付けられた照明灯と、同じく前記ソーラーパネルより下方で前記照明灯の反対側に位置して前記支柱に取り付けられた蓄電池とから成り、前記角度調節手段は、前記支柱の上部に水平回転可能に取り付けられたソーラーパネル支持部材及びこのソーラーパネル支持部材を前記支柱へ固定させる固定ボルトとで構成した水平角度調節手段と、前記ソーラーパネルの下側に設けられ前記ソーラーパネル支持部材に対して揺動可能に取り付けられる取付片及び前記ソーラーパネル支持部材に取り付けられ前記取付片に設けた円弧状溝へ挿通させた締付ボルトとで構成した上下角度調節手段とを有することを特徴とする、街路灯。
【請求項１１】
前記水平角度調節手段を、前記ソーラーパネル支持部材の下部に設けた筒部と、この筒部へ前記支柱の上端部を嵌め込み、嵌め込んだ状態で前記筒部の外側から当該筒部を前記支柱の上端部へ固定させる固定ボルトとで構成したことを特徴とする、請求項１０に記載の街路灯。
【請求項１２】
前記取付片を前記ソーラーパネル支持部材へ揺動可能に取り付けるに当り、前記ソーラーパネル支持部材の上部へ二股状に設けた一対の支持片を設け、前記取付片を前記一対の支持片の間に設けられた溝部へ挿入させて支持ピンで揺動可能に成すと共に、前記締付ボルトを前記支持片に取り付けたことを特徴とする請求項１０に記載の街路灯。
【発明の詳細な説明】
【技術分野】
【０００１】
本発明は、主に街路灯の支柱や消火栓の案内支柱などの、径の細い支柱に設置するのに好適な広告表示装置並びにこの広告表示装置を取り付けることのできる街路灯に関する。
【背景技術】
【０００２】
従来、径の小さい街路灯などの支柱においては、広告表示部材を支柱に巻き付けると広告面積を有効に確保することができないことから、看板等を利用した広告表示手段が広く用いられている。このような街路灯の支柱を利用して公告表示を行う広告表示装置並びにこの広告表示装置を取り付けた街路灯として、下記する特許文献１に記載されたものが公知である。
【０００３】
この特許文献１に記載された街路灯の支柱を利用した広告表示装置は、支柱の上部にソーラ−パネル（太陽光発電パネル）が設けられ、支柱と照明灯アームと支持アームの間に広告表示が可能な看板(広告表示部材)が設けられているものである。
【０００４】
また、特許文献１には、上記のような広告表示装置を取り付ける街路灯としては、支柱の上部に取り付けたソーラーパネルと、このソーラーパネルより下方に取り付けた照明灯と、支柱の下側内部に収納させた蓄電池と、ソーラーパネルと支柱との間に設けた角度調節手段とから成り、この角度調節手段のうち、ソーラーパネルを上下方向へ揺動調節させてソーラーパネルの角度調節をする部分の構成は、ソーラーパネル自体を支柱へ揺動可能に支持させた上で、適当な傾斜位置で一対の前後アームや縦アーム、或はターンバックルなどを用いて固定するものである。
【先行技術文献】
【特許文献】
【０００５】
【特許文献１】特開２００８−２１０７１１号公報
【発明の概要】
【発明が解決しようとする課題】
【０００６】
上述した従来公知の街路灯の支柱を利用した広告表示装置は、看板の広告表示面積が小さく、宣伝広告効果が限定されてしまうという問題があった。また、特許文献１に記載された従来公知の広告表示装置は、既存の街路灯の支柱に設置することは事実上できないことから、汎用性に欠けるという問題もあった。さらに、その他の広告表示装置として、上述したように街路灯のように径の小さい支柱に広告表示部材を巻き付けて広告を表示する方法もあるが、広告面積が小さくなり、有効な広告宣伝効果を見込めないという問題があった。それではと言って看板を余り大きくすると、強風の際に支柱を倒してしまう恐れがあった。
【０００７】
また、特許文献１に記載の街路灯は、とくにソーラーパネルを上下方向へ角度調節する上下角度調節手段が、部品点数の多いことからコストアップになるという問題がある上に、支柱の下側内部へ蓄電池を収納すると、蓄電池を特注して小型化しなくてはならず、コストアップとなる上に、小型化すると蓄電能力に不足が生じるという問題があった。
【０００８】
本発明は、上記課題を解決するためになされたものであって、その目的は、既存の街路灯などの径が細く断面形状がさまざまに異なる支柱にも、容易に取り付けることができ、しかも程よい広告面積を確保できた上で、強風の際にも支柱を倒すなどの影響を及ぼさないように工夫した広告表示装置を提供することにある。
【０００９】
本発明のもう一つの目的は、上記広告表示装置を取り付けることのできる街路灯として、可能な限り簡単な構成でパネルの角度を太陽の方向へ変えることができ、また蓄電池の蓄電能力にも問題が生じないように成したものを提供せんとするにある。
【課題を解決するための手段】
【００１０】
上記した目的を達成するために本発明は、街路灯のような径の細い支柱の外径に対し余裕ある内径を有し、筒状を呈した広告表示部材と、この広告表示部材の上下端部に取り付けられる一対の枠部材と、これらの枠部材を前記支柱へ取り付ける取付手段とで構成したことを特徴とするものである。
【００１１】
その際に本発明は、前記取付手段を、前記支柱の上部と下部へ固定される一対の固定部材と、この各固定部材と前記一対の枠部材との間を連結する複数の連結部材とで構成するものである。
【００１２】
本発明はまた、前記広告表示部材を、可撓性を有し、１個所で軸方向に分割したもので構成するものである。
【００１３】
本発明はさらに、前記広告表示部材を、軸方向に２分割したことを特徴とするものである。
【００１４】
本発明はさらに、前記各枠部材は、可撓性を有し、１個所で軸方向に分割されており、各分割端に連結手段を設けたことを特徴とするものである。
【００１５】
本発明はさらに、前記各枠部材を、軸方向へ２分割すると共に、その各分割個所の一方をヒンジ手段で連結し、他方に連結手段を設けたことを特徴とするものである。
【００１６】
本発明はまた、前記取付手段を、前記一対の枠部材に対し、軸方向へ長さ調節可能かつ放射状に取り付けた複数の固定棒で構成したことを特徴とするものである。
【００１７】
本発明はさらに、前記固定部材を、伸縮性を有する締付バンドで構成したことを特徴とするものである。
【００１８】
本発明はさらに、前記固定部材を、伸縮性はないが折り曲げ可能な締付バンドで構成したことを特徴とするものである。
【００１９】
本発明はまた、上記の広告表示装置を取り付けることのできる街路灯であって、支柱と、この支柱の上部に角度調節手段を介して角度調節可能に取り付けられるソーラーパネルと、このソーラーパネルより下方に位置して前記支柱へ取り付けられた照明灯と、同じく前記ソーラーパネルより下方で前記照明灯の後側に位置して前記支柱に取り付けられた蓄電池とから成り、前記角度調節手段は、前記支柱の上部に水平回転可能に取り付けられたソーラーパネル支持部材及びこのソーラーパネル支持部材を前記支柱へ固定させる固定ボルトとで構成した水平角度調節手段と、前記ソーラーパネルの下側に設けられ前記ソーラーパネル支持部材に対して揺動可能に取り付けられる取付片及び前記ソーラーパネル支持部材に取り付けられ前記取付片に設けた円弧状溝へ挿通させた締付ボルトとで構成した上下角度調節手段とを有することを特徴とする。
【００２０】
その際に本発明は、水平角度調節手段を、前記ソーラーパネル支持部材の下部に設けた筒部と、この筒部へ前記支柱の上端部を嵌め込み、嵌め込んだ状態で前記筒部の外側から当該筒部を前記支柱の上端部へ固定させる固定ボルトとで構成したことを特徴とする。
【００２１】
そして、本発明は、前記取付片を前記ソーラーパネル支持部材へ揺動可能に取り付けるに当り、前記ソーラーパネル支持部材の上部へ二股状に設けた一対の支持片を設け、前記取付片を前記一対の支持片の間に設けられた溝部へ挿入させて支持ピンで揺動可能に成すと共に、前記締付ボルトを前記支持片に取り付けたことを特徴とする。
【発明の効果】
【００２２】
本発明は請求項１や２のように構成すると、簡単な構成で必要な広告表示スペースを確保でき、また、広告表示部材が筒状であるので、風を逃がして強風の場合でも壊れたり、吹き飛ばされてしまったりする恐れのないという効果を奏し得る。
【００２３】
さらに、請求項３乃至９のように構成すると、以上のような効果のほかに、広告表示装置を街路灯の支柱に取り付ける際に、該広告表示装置の着脱を容易に行うことができることから、既存の街路灯の支柱や、その他の支柱に簡単に取り付けることができるだけでなく、一つの広告表示装置を用いて外径や断面形状の異なる支柱に取り付けることも可能である。また、広告表示部材の交換が容易にできるので、さまざまな広告を容易に提供することが可能となるものである。
【００２４】
さらに、請求項１０乃至１２のように構成すると、街路灯としては、とくに角度調節手段の構成が簡単となっており、さらに蓄電池は特別発注しなくとも既製のものを使用できることから、蓄電能力に問題が生ぜず、全体としてコストダウンを図り、ソーラーシステムを用いた環境にやさしい街路灯を極力安価に提供できるという効果を奏し得る。
【図面の簡単な説明】
【００２５】
【図１】本発明にかかる広告表示装置を取り付けた街路灯の斜視図である。
【図２】本発明に係る広告表示装置の縦断面図である。
【図３】図１のＡ−Ａ線断面図である。
【図４】本発明に係る広告表示装置の固定部材の展開図である。
【図５】本発明に係る広告表示装置の広告表示部材の他の実施例を示す斜視図である。
【図６】本発明に係る広告表示装置の広告表示部材のさらに他の実施例を示す斜視図である。
【図７】本発明に係る広告表示装置の枠部材の他の実施例を示す斜視図である。
【図８】本発明に係る広告表示装置の枠部材のさらに他の実施例を示す斜視図である。
【図９】本発明に係る広告表示装置の固定部材の他の実施例を示す展開図である。
【図１０】本発明に係る広告表示装置の他の実施例を示し、（ａ）図はその斜視図、（ｂ）図はその横断面図である。
【図１１】本発明に係る街路灯の他の実施例を示す側面図である。
【図１２】図１１に示した街路灯の角度調節手段の部分を説明するための拡大図であり、（ａ）図はその側面図、（ｂ）図はその正面図である。
【図１３】図１１に示した街路灯の蓄電池の取付構造を説明するための拡大図であり、（ａ）図はその側面図、（ｂ）図はその平面図である。
【発明を実施するための形態】
【００２６】
以下に本発明を、ソーラーシステムを利用した街路灯などの支柱に取り付けて使用する広告表示装置として説明するが、この発明に係る広告表示装置は、他のソーラーシステムを用いない街路灯の支柱、或は街路灯の支柱以外の消火栓の表示用の支柱、商店街の案内表示用の支柱、さらには道路標識の支柱等の様々な形状の径の細い支柱に取り付ける広告表示装置としても用いることができるものである。
【００２７】
また、本発明に係る街路灯は、上記広告表示装置を取り付けることのできる街路灯である。
【実施例１】
【００２８】
図面によれば図１において、指示記号１で示したものは、本発明を実施したソーラーシステム採用の街路灯１であり、支柱２は中空の円柱状で、その下端部を地面に据え付けた据付台３に取り付けられている。支柱２の上端部には、ソーラーパネル４が取り付けられ、このソーラーパネル４の下側に蓄電池５が取り付けられると共に、支持部材６を介して照明灯７が支柱２へ取り付けられている。そして、支持部材６の下方に位置して本発明に係る広告表示装置Ａが取り付けられている。尚、据付台３の構成については、実施例のものに限定されず、様々な構成のものがある。また、支柱２は、実施例のものは電柱などに較べてかなり細い径の円柱状のものであるが、支柱２の形状は断面４角形状を始めとする様々な形状のものであっても良い。さらに、支柱としては、例えば、街中にある消火栓の表示用の支柱や、商店街の案内表示板用の支柱、及び道路標識の支柱などがある。いずれも電柱などに較べてかなり径の細いものであるが、本発明は、このような支柱に対しても取り付けが可能である。
【００２９】
広告表示装置Ａは、とくに図１乃至図３に示したように、例えばアクリル製の一体型で円筒状を呈した広告表示部材８と、この広告表示部材８の上下端部をそれぞれ保持する一体型のリング状を呈した上側の枠部材９及び下側の枠部材１０と、この上側の枠部材９と下側の枠部材１０を支柱２へ取り付ける取付手段１１、１２とで構成されている。
【００３０】
支柱２と上側の枠部材９及び下側の枠部材１０の各内径は、支柱２の外径に対し余裕ある大きさとなっており、広告表示面積を大きく取れるようになっている。また、枠部材９と１０は、好ましくは錆びにくく、腐食しにくい例えばステンレス鋼製のものが望ましいが、その他の金属、或は合成樹脂製等であっても良い。さらに、上側の枠部材９の下端部及び下側の枠部材１０の上端部には、それぞれ広告表示部材８の上下端部を嵌入させる周溝９ａと１０ａが円周状かつ軸方向に設けられている。尚、この周溝９ａと１０ａに代えて、広告表示部材８の上下端部を枠部材９と１０に取り付ける取付ネジとすることも可能である。
【００３１】
取付手段１１と１２は、上側の枠部材９及び下側の枠部材１０にその上端部と下端部を略等間隔に取り付けた複数の上側の連結部材１３及び下側の連結部材１４と、この各上側の連結部材１３と下側の連結部材１４の上端部と下端部を略等間隔に取り付けて支柱２へ取り付ける上側の固定部材１５及び下側の固定部材１６とで構成されている。
【００３２】
広告表示部材８は、その表面には広告表示部８ａが設けられており、この広告表示部８ａには、広告内容が直接印刷してある。そして、その表面には防水加工を施すことが望ましい。尚、この広告表示部８ａには、広告物を貼り付けて表示してもよいし、その表示方法に限定はない。
【００３３】
各上側の連結部材１３及び下側の連結部材１４も好ましくはステンレス鋼製であり、好ましくは帯状を呈した板材であるが、他の丸棒であっても良い。
【００３４】
また、上側の固定部材１５及び下側の固定部材１６は、固定具１５ａ、１６ａ付きの、例えばステンレス鋼製の締付バンドであり、伸縮自在で、支柱２にきつく巻きつけて、固定具１５ａ、１６ａでずり落ちないように固定するものである。この固定部材１５、１６は同じ構成であるので、図４にその一つの固定部材１５を展開した状態で示してある。
【００３５】
実施例１のものは、支柱２の長さが、３ｍであるとすると、広告表示部材８の長さは、例えば５０ｃｍ程度であるが、しかし、この長さに限定はない。そして、広告表示装置Ａを地上から約２．５ｍの高さから取り付け、装置全体で１．４ｍの長さになるが、このものに限定されない。また、広告表示部材８の外径は、支柱２の外径の約３倍であるが、これもこのものに限定されない。
【実施例２】
【００３６】
以上に説明した実施例１のものは、街路灯等の新設と共に、本願発明に係る広告表示装置Ａを支柱２へ取り付ける場合に好適であるが、既存の街路灯の支柱へ取り付ける場合には不向きである。そこで、実施例２のものは、広告表示部材２０を、可撓性材質のもので構成し、図５に示したように、一箇所で軸方向へ分割して、支柱への取り付け時に手で開いて当該支柱に嵌め込み、上下の枠部材に装着させるか、或は図６に示したように、広告表示部材２１を２分割して一方の分割部分をヒンジ手段２２で連結することが考えられる。もっとも、この２分割したものは、１分割のものの場合にも同じであるが、ヒンジ手段で連結しなくとも、枠部材の周溝にその上下端部を嵌め込むのでヒンジ手段２２を省略しても良い。
【００３７】
また、この実施例２の場合には、上側と下側の枠部材も、図７に示したように、枠部材２５を一箇所で上下方向へ分割するか、或は図８に示したように、枠部材２６を上下方向へ２分割して一方の分割部分をヒンジ手段２７で連結することが望ましいことになる。図７に示した枠部材２５は可撓性の材料で構成し、その各分割端に連結手段２８を設け、分割部分を両手で開いて支柱へ嵌め込み、分割部分を連結手段２８で連結してリング状に形成することになる。図８に示した枠部材２６は、ヒンジ手段を設けてない各分割端に連結手段２９を設けるものである。この連結手段２８と２９は、各枠部材２５と２６の各分割端に設けた、連結孔２５ｂ、２５ｂ（一方のみ表示）と２６ｂ、２６ｂ（一方のみ表示）を有する連結片２５ａ、２５ａ・２６ａ、２６ａと、連結用ネジ３０、３２と、ナット３１、３３とで構成することが望ましい。尚、指示記号２５ｃと２６ｃは、広告表示部材の両端部を嵌め込むための周溝である。
【００３８】
そして、連結片２５ａ、２５ａ・２６ａ、２６ａに設けた連結孔を２５ｂ、２５ｂ（一方のみ表示）と２６ｂ、２６ｂ（一方のみ表示）へ連結用ネジ３０、３２を通してナット３１、３３を用いて各連結片２５ａ、２５ａ・２６ａ、２６ａを連結することにより、上下の枠部材２５或は２６をリング状に構成するものである。尚、ナット３１、３３は、連結孔を２５ｂ、２５ｂ（一方のみ表示）と２６ｂ、２６ｂ（一方のみ表示）のいずれか一方、或は双方に雌ネジを設けることにより省略できよう。図７と図８はいずれも上下の枠部材の一方のもののみを図示したが、他方のものも同じ構成とするものである。尚、図７と図８に示した２つの実施例を組み合わせて使用しても良い。
【実施例３】
【００３９】
図９は、実施例１と２のどちらに実施しても良い固定部材の他の実施例を示す。図面によれば、この実施例３に係る固定部材３４は、伸縮性のある締付バンドではなく、伸縮性はないが折り曲げ可能な軟質の、例えばステンレス鋼製の帯状の締付バンドを用いて、この固定部材３４を支柱へ巻きつけて固定具３５で固定するものである。このように実施しても本発明の目的は達成できる。或は、この固定部材は耐天候性のあるゴム製の締付バンドとすることも可能である。
【実施例４】
【００４０】
図１０は、本発明に係る広告表示装置の取付手段の他の実施例を示す。図面によれば、この実施例４に係る広告表示装置Ｂの取付手段３６、３７は、広告表示部材３８の上側と下側の枠部材３９、４０に、半径方向から放射状かつ等間隔に３本のネジ付きの固定棒４１、４２が取り付けられており、この固定棒を用いて支柱４３へ枠部材３９、４０を取り付けるものである。このように構成すると、構成がより簡単になるという利点がある。尚、固定棒の数に限定はない。３本以上であっても良い。この取付手段３６、３７は、実施例１の取付手段１１、１２のものと組み合わせて用いても良い。
【実施例５】
【００４１】
図１１乃至図１３は、本発明に係る街路灯の他の実施例を示す。図面によればとくに図１１において、この実施例５に係る街路灯５０は、据付台５１上に取り付けられた中空かつ上部に行くほど細くなるテーパー状を呈した支柱５２と、この支柱５２の上部に角度調節手段５３を介して取り付けられたソーラーパネル５４と、このソーラーパネル５４の下方に位置して支柱５２に取り付けられた照明灯５５と、この照明灯５５の後側に位置して支柱５２に取り付けられた、例えばリチウムイオン電池からなる蓄電池５６とで構成されている。
【００４２】
尚、支柱５２の形状や構成は実施例のものに限定されず、断面４角形状のもの、或はテーパー状でなく上から下まで同一径のストレートのもの、途中で段階的に径が細くなるもの等であっても良い。また、照明灯５５は、消費電力の少なさからＬＥＤが望ましいが、このＬＥＤ以外にも蛍光灯、白熱灯、水銀灯等を用いることができる。さらに、図１１においてソーラーパネル５４と蓄電池５６とを繋ぐ指示記号６７で示されたものはコードであり、蓄電池５６側から照明灯５５へのコードは、図示してないが支柱５２と照明灯５５の支持腕５５ａ内を介して照明灯５５へ接続されている。照明灯５５への点灯は、図示してない光検知センサーを用いることが望ましいが、タイマー、スイッチ、その他の公知のものを用いることができる。要するに照明灯５５を点灯できるものであれば足りる。
【００４３】
角度調節手段５３は水平角度調節手段５３ａと上下角度調節手段５３ｂとで構成されている。とくに図１１と図１２に示したように、角度調節手段５３全体としては、支柱５２の上端部を挿入させた筒部５７aと、この筒部５７ａの上部に所定間隔を空けて立設させた一対の支持片５７ｂ、５７ｂとを有するソーラーパネル支持部材５７と、筒部５７ａの周囲に取り付けた複数の固定ボルト５８と、ソーラーパネル５４の下面より垂下させたところの支持片５７ｂ、５７ｂの間に設けた溝部５９に挿入された取付片６０と、この取付片６０を支持片５７ｂ、５７ｂへ揺動可能に支持する支持ピン６１と、一方の支持片５７ｂから取付片６０に設けた円弧状のガイド溝６０ａを貫通して他方の支持片５７ｂに取り付けた締付ボルト６２とで構成されている。
【００４４】
このうち水平角度調節手段５３ａは、ソーラーパネル支持部材５７の筒部５７ａと、複数の固定ボルト５８とで構成され、上下角度調節手段５３ｂは、ソーラーパネル支持部材５７の支持片５７ｂ、５７ｂと、取付片６０と、支持ピン６１と、締付ボルト６２、とで構成されており、上下角度調節手段５３ｂは、支持片５７ｂ、５７ｂと、これらの支持片５７ｂ、５７ｂの間に設けた溝部５９に挿入された取付片６０と、この取付片６０を支持片５７ｂ、５７ｂへ揺動可能に支持する支持ピン６１と、一方の支持片５７ｂから取付片６０に設けた円弧状のガイド溝６０ａを貫通して他方の支持片５７ｂに取り付けた締付ボルト６２とで構成されている。
【００４５】
尚、水平角度調節手段５３ａは、実施例においては支柱の上端部を挿入させる筒部としたが、この筒部を支柱の中へ挿入固定するように構成しても良い。上下角度調節手段５３ｂにおいては、支持片５７ｂを１枚にして、取付片６０を２枚にし、この一対の取付片の間に一枚の支持片を挿入させて上下方向へ傾動可能に取り付けることもできる。さらに、ソーラーパネル支持部材を支柱に対して上下方向へ摺動可能に構成して、ソーラーパネルの高さ調節が可能となるように構成しても良い。
【００４６】
とくに図１２に示したように、蓄電池５６の詳細な取付構造は、支柱５２より側方へ突設した載置台６３と、この載置台６３より上方において支柱５２に取り付けた保持部材６４とで構成され、蓄電池ケース６５が載置台６３上に載置固定され、保持部材６４によってその両サイドを保持されると共に、蓄電池ケース６５内には蓄電池５６が点灯回路や制御回路などの制御部６６と共に収納されている。
【００４７】
したがって、街路灯５０を据付台５１上に据え付けた後、ソーラーパネル５４は、水平角度調節手段５３aの複数の固定ボルト５８を緩めることによって、ソーラーパネル支持部材５７と共に水平方向へ回転さて角度調節を行うことができ、調節終了後は固定ボルト５８を締め付けることによりその位置で支柱５２に固定保持されることになる。また、ソーラーパネル５４は、上下角度調節手段５３ｂの締付ボルト６２を緩めると、ソーラーパネル５４の上下方向の傾斜を調節でき、調節終了後に締付ボルト６２を締め付けることにより、その傾斜角度でソーラーパネル５４は支柱５２に対して固定保持されることになる。このようにして、本発明に係る街路灯は、据付時、或は季節によっても常にソーラーパネル５４を太陽の方向へ向け、効率のよい発電を行うことが出来るものである。
【００４８】
また、蓄電池５６は蓄電池ケース６５内に収容され、支柱５２に対して外付けとなっているため、必要な充電容量を持った既存の蓄電池を用いることができることから、雨天や曇天などの太陽が顔を出さない日が続いても、夜間に照明灯を発光させることの出来る蓄電能力を保持することが出来るものである。
【産業上の利用可能性】
【００４９】
本発明は以上のように構成したので、径の細い各種支柱に対し本発明に係る広告宣伝装置を設置すると、当該径の細い支柱に対しても、必要にして充分な広告宣伝スペースを確保できることから、とくに街路灯を始めとする径の細い各種新設或は既設の支柱に対して用いる広告宣伝装置として好適に利用されるものである。
【００５０】
また、街路灯としても、クリーンエネルギーで本発明に係る広告表示装置を取り付けることの出来る街路灯としては勿論のこと、可及的に安価で、発電効率と蓄電能力の高い街路灯として好適に用いられるものである。
【符号の説明】
【００５１】
Ａ  広告表示装置
Ｂ  広告表示装置
１  街路灯
２  支柱
３  据付台
４  ソーラーパネル
５  蓄電池
６  支持部材
７  照明灯
８  広告表示部材
８ａ  広告表示部
９  上側の枠部材
９ａ  周溝
１０  下側の枠部材
１０ａ  周溝
１１  取付手段
１２  取付手段
１３  上側の連結部材
１４  下側の連結部材
１５  上側の固定部材
１５ａ  固定具
１６  下側の固定部材
１６ａ  固定具
２０  広告表示部材
２１  広告表示部材
２２  ヒンジ手段
２５  枠部材
２５ａ  連結片
２５ｂ  連結孔
２５ｃ  周溝
２６  枠部材
２６ａ  連結片
２６ｂ  連結孔
２６ｃ  周溝
２７  ヒンジ手段
２８  連結手段  
２９  連結手段
３０  連結用ネジ
３１  ナット
３２  連結用ネジ
３３  ナット
３４  固定部材
３５  固定具
３６  取付手段
３７  取付手段
３８  広告表示部材
３９  枠部材
４０  枠部材
４１  固定棒
４２  固定棒
４３  支柱
５０  街路灯
５１  据付台
５２  支柱
５３  角度調節手段
５３ａ  水平角度調節手段
５３ｂ  上下角度調節手段
５４  ソーラーパネル
５５  照明灯
５６  蓄電池
５７  ソーラーパネル支持部材
５７ａ  筒部
５７ｂ  支持片
５８  固定ボルト
５９  溝部
６０  取付片
６０ａ  ガイド溝
６１  支持ピン
６２  締付ボルト
６３  載置台
６４  保持部材
６５  蓄電池ケース
６６  制御部
６７  コード
【図１】
2011095463.tif 000003
【図２】
2011095463.tif 000004
【図３】
2011095463.tif 000005
【図４】
2011095463.tif 000006
【図５】
2011095463.tif 000007
【図６】
2011095463.tif 000008
【図７】
2011095463.tif 000009
【図８】
2011095463.tif 000010
【図９】
2011095463.tif 000011
【図１０】
2011095463.tif 000012
【図１１】
2011095463.tif 000013
【図１２】
2011095463.tif 000014
【図１３】
2011095463.tif 000015